(57)【要約】【課題】  従来一般に市販されている観音開き式扉を備えた冷蔵庫に於いて、片手で上記観音開き式扉を開放するのはハンドル構造上、難かしかった。  本発明は、使い勝手上使用者に満足してもらえる冷蔵庫を提供することにある。【解決手段】  観音開き式扉の相対向する側の扉側端部にハンドルを取付けると共に上記ハンドルに他方の扉を開放した時、その一方の扉を開放した手の指が順手で掛かる補助手掛部を、他方のハンドルと一体にしかも、その手掛部を備えたハンドルが扉側端面とほぼ同一面上になるよう形成した観音開き式冷蔵庫。【選択図】  図４
2005133995.tif 000002
【特許請求の範囲】
【請求項１】
観音開き式扉の相対向する側の扉側端部にハンドルを取付けると共に、上記ハンドルに、一方の扉を開放した時、その一方の扉を開放した手の指が順手で掛かる補助手掛部を他方のハンドルと一体にしかもその手掛部を備えたハンドルが扉側端面とほぼ同一面上になるよう形成したことを特徴とする観音開き扉を備えた冷蔵庫。
【請求項２】
ハンドルと一体に形成する補助手掛部をハンドル立ち上り部を加工した引掛穴としたことを特徴とする請求項１記載の観音開き扉を備えた冷蔵庫。
【請求項３】
補助手掛部をハンドル手掛部を扉側端側に延長して形成したことを特徴とする請求項１記載の観音開き扉を備えた冷蔵庫。
【発明の詳細な説明】
【技術分野】
【０００１】
本発明は、庫内前面を二つの扉で閉塞する所謂観音開き扉を備えた冷蔵庫のハンドルに関するもので、特に片手で上記二つの扉ハンドルを利用して扉を開放することが出来るようにしたものである。
【背景技術】
【０００２】
この種冷蔵庫を図１１〜図１３に於いて説明すると、３１は冷蔵庫本体、この冷蔵庫本体３１は上部に冷蔵室３２、下部に冷凍室３３を有し、中間に野菜室３４を備えている。
【０００３】
而して、上記冷蔵室３２は二つの扉３５（３５ａ、３５ｂ）で冷蔵室３２の前面開口部を閉塞する所謂観音開き式扉となっている。そして図には示してないが、上記二つの扉内板側に設けたマグネットパッキングの着磁面は一方の扉に設けられた回転仕切壁等に着磁し、室内３２と室外とを遮断するよう構成されている。
【０００４】
又この冷蔵室３２より下方に位置する野菜室３４、冷凍室３３は引出し式扉３６、３７により、前面開口部が閉塞されている。
【０００５】
３８、３９は上記扉３５ａ、３５ｂに設けられたハンドルである。このハンドル３８、３９は左右対象形となるよう構成され、図１１にも示す如く、反ヒンジ３１側端部に取付けられている。そして、扉開放時には、例えば扉３５ａのハンドル３９に右手の指を又扉３５ｂのハンドル３９に左手指を図１３に示す如く差し込んで手前に引いて扉３５ａ、３５ｂを開放するものである。通常このハンドル３８、３９間の隙間寸法Ｌ１は外観意匠を考慮し、１０ｍｍ前後になるよう設計されている。そして上記ハンドル３８、３９はＬ１寸法線上に端面が位置している。４０は絞り部であり図に示す如く冷蔵室扉３５ａ、３５ｂ、野菜室扉３６、冷凍室扉３７のハンドル３８、３９、４１、４２を埋込ハンドルとして使えるよう扉正面板を絞り、凹させているものである。
【０００６】
４１は野菜室扉３６の上部中央に設けられた引掛け方式のハンドルであり、４２は冷凍室扉３７の上部中央に設けられた引掛け方式のハンドルである。このハンドル４１、４２も図１２、図１３に示す如く、扉正面板とほぼ同一面で形成されている。
【０００７】
通常上記ハンドル３８、３９、４１、４２は上記帯状絞り４０と一体感をもつよう形成されている。即ち、図１１にも示す如く、冷蔵庫本体１の扉表面に全高にまたがって設けられ、ハンドルと絞りが整合し意匠上、スッキリ感が表現されている。
【０００８】
【特許文献１】特開２００２−８１８５２号公報（図１）
【発明の開示】
【発明が解決しようとする課題】
【０００９】
冷蔵庫の扉ハンドルには比較的大きな力が加えられる。そのために上記ハンドルはその大きな力に耐える構造に作られている。これは冷蔵庫を二つの扉で閉塞する観音開き式冷蔵庫にあっても同じことである。
【００１０】
観音開き式冷蔵庫の扉であった場合、一方の扉を開放してしまえば、他方の扉は比較的容易に開放することが出来る。これは空気が冷やされ負圧になっていたものが一方の扉開放により同圧になることに起因する。
【００１１】
ところが、この観音開き式扉であっても、どちらを先に開けるか判らない為に両ハンドルとも大きな力に耐える構造に作らざるを得ない。
【００１２】
従って一般的には左右対象で同構造（同形状）に作られる。例えば図１３がそれである。
【００１３】
一方観音開き式扉は扉自体の巾が冷蔵庫の巾寸法の１/２となる為扉開放時の回動軌跡が一枚扉時の１/２となる。この為据付場所に余裕のない場合には使い勝手が良い冷蔵庫と評価されている。
【００１４】
しかしこの観音開き式扉を持つ冷蔵庫は先にも記載した如く扉巾が冷蔵室開口部の１/２である為、冷蔵室内に入るべき収納食品が間口の問題で入らないと云う問題が往々にして生ずる。
【００１５】
勿論この問題は両扉を片手で解放出来れば解消出来る課題であるが従来冷蔵庫に於いては、この点考慮していなかった。
【００１６】
例えば片手（例えば左手）に収納食品を持ち、他方の片手（右手）で扉を開放しようとする時には、当然順手で指が掛けられる側のハンドルに手の指を掛ける。この状態で収納食品が冷蔵室内に入らない場合は、他方の扉を開放しようとする。
【００１７】
この時が問題となる。即ち先にも記載した如くこれらハンドルは大きな力に耐える構造と云うことでハンドルは大きく、そして強度的にも強く形成されていて、しかも対象形に取付けられている為に右手の指をまだ開放していない側のハンドルに掛けようとすると逆手でなければ指がかからない構造となっていた。
【００１８】
この為据付面では良いが操作上には課題がある冷蔵庫と使用者に評価されることが往々にしてあった。
【００１９】
本発明は上記使い勝手を解消すべくなされたものであり、据付性は勿論、使い勝手上も使用者に満足してもらえる冷蔵庫を提供するものである。
【課題を解決するための手段】
【００２０】
本発明は上記目的を解決すべくなされたものである。
【００２１】
即ち、観音開き式扉の相対向する側の扉側端部にハンドルを取付けると共に、上記ハンドルに一方の扉を開放した時、その一方の扉を開放した手の指が順手で掛かる補助手掛部を他方のハンドルと一体にしかも、その手掛部を備えたハンドルが扉側端面とほぼ同一面上になるよう形成したものである。
【００２２】
こうすることにより一方の手に収納物を持ち、他方（例えば右手）の手で図１１の向かって右側の扉を開放し、間口の問題で左側の扉を開ける必要が出た場合、右手で上記左側ハンドルの補助手掛部に順手で指を掛けることが出来、左側扉を容易に開放することが出来るものである。
【００２３】
又ハンドルと一体に形成する補助手掛部をハンドル立ち上がり部に引掛け穴を設けることにより外観意匠を変えることなく、例えばハンドル製作時の型構造でこれが実現出来、且つ本来のハンドル機能を変えないで済むものである。
【００２４】
更に又、ハンドルと一体に形成する補助手掛部とハンドル手掛部を扉側端側に延長して成形して作ることにより、該ハンドルを押出成形等を利用して作ることが出来るようにし、補助手掛部の使用範囲をハンドルの上端から下端迄とすることが出来るものである。
【発明の効果】
【００２５】
本発明によれば次の如き効果が得られるものである。
【００２６】
即ち、観音開き式扉の相対向する側の扉側端部にハンドルを取付けると共に、上記ハンドルに一方の扉を開放した時、その一方の扉を開放した手の指が順手で掛かる補助手掛部を他方のハンドルと一体にしかも、その手掛部を備えたハンドルが扉側端面とほぼ同一面上になるよう形成したものであるから、一方の手に収納物を持ち、他方（例えば右手）の手で向かって右側の扉を開放し、間口の問題で左側の扉を開ける必要が出た場合、右手で上記左側ハンドルの補助手掛部に順手で指を掛けることが出来、左側扉を容易に開放することが出来るものである。
【００２７】
又ハンドルと一体に形成する補助手掛部をハンドル立ち上がり部に引掛け穴を設けることにより外観意匠を変えることなく、例えばハンドル製作時の型構造でこれが実現出来、且つ本来のハンドル機能を変えないで済むものである。
【００２８】
更に又、ハンドルと一体に形成する補助手掛部をハンドル手掛部を扉側端側に延長して成形して作ることにより、該ハンドルを押出成形等を利用して作ることが出来るようにし、補助手掛部の使用範囲をハンドルの上端から下端迄とすることが出来るものである。
【発明を実施するための最良の形態】
【００２９】
以下、本発明の詳細を図１〜図１０に示す実施の形態で説明する。
【００３０】
図１は本発明のハンドルを備えた冷蔵庫の正面図、図２は図１のＡＡ断面図、図３は図２の扉５ｂを矢印Ｐ方向より見た図、図４は同じ手（右手）で扉５ａと５ｂを開けた例を示す図、図５は図４とは異なる実施例を示す図、図６は図１とは異なる実施例を示す冷蔵庫の正面図、図７は図６のＢＢ断面図、図８は図６のＣＣ断面図である。図９は本発明を備えた他の冷蔵庫の実施例を示す図、図１０は図９のＧＧ断面図である。
【００３１】
先ず図１に於いて、１は本発明を備えた冷蔵庫本体、この冷蔵庫本体１は、上段に冷蔵室２、中段に野菜室３、冷凍室４を備えている。５（５ａ、５ｂ）は上記冷蔵室２の前面開口部を閉塞する扉。この扉５ａ、５ｂはヒンジ６、７を支点として回動自在に枢軸されている。８は野菜室扉。この野菜室扉８には図には示していないが野菜容器が取付けられ、野菜室扉８を引き出すと、上記野菜容器が一緒に引き出されてくる構造となっている。９（９ａ、９ｂ）は冷凍室扉。この扉９ａ、９ｂも冷凍室容器を備え、該扉９ａ、９ｂを引出すと冷凍室容器が引き出されてくる構造となっている。１０は野菜室扉８を引出す時に手を掛けるハンドルであり、１１、１２は冷凍室扉９ａ、９ｂを引出す時に手を掛けるハンドルである。１３、１４は冷蔵室扉５ａ、５ｂを開放する時に使うハンドルである。
【００３２】
次に上記ハンドル１３、１４をもって扉５ａ、５ｂを開放する際の指の掛け方に付いて図２〜図４に於いて説明する。尚この時ハンドル１３，１４は図に示す如く扉５ａ、５ｂの側面間の隙間寸法Ｌ１線上に位置している。またこのハンドル１３、１４は扉５ａ、５ｂの正面側端部に設けた絞り部１５、１６に図に示す如く設けられている。即ちハンドルの正面部１３ａ、１４ａは扉５ａ、５ｂの正面内板と同じ位置に、側面部１３ｂ、１４ｂは扉５ａ、５ｂの側端部面上に位置するよう設けられている。１７は先のハンドル１４の側面部１４ｂに設けられた引掛け穴を示す。
【００３３】
かかる扉ハンドル１３、１４をもって扉５ａ、５ｂを開放する時には次のようにして指がハンドル１３、１４に掛けられる。即ち、図２に示す如く、図に向かって右側の扉５ａのハンドル１３には右手指が、扉５ｂには左手指がそれぞれ順手状態で掛けられる。
【００３４】
この状態であると左右の指とも十分に力が入るので室内が負圧になっていたとしてもなんなく扉５ａ、５ｂを開放することが出来る。
【００３５】
次に図４に付いて、この状態は左手に冷蔵室２内に収納する食品を持ち右手一本で扉５ａ、５ｂを開放しなければならない状態を示している。
【００３６】
即ち左手に持っている収納物の外形寸法が扉５ａを開放した時に出来る冷蔵室２の間口では収納することが出来ない大きさを有していると、扉５ａを開放した手で扉５ｂを開放させる必要が出てくる。
【００３７】
この時にあって、本発明には右手指が扉５ｂ側ハンドル１４に掛けることが出来るよう、ハンドル１４の立上り部１４ｂに引掛け穴１７が設けられている。この引掛け穴１７は当然右手指を差し込める大きさを有するものであるから、右手指はこの引掛け穴１７に図４に示す如く、引掛けられるものである。勿論扉５ａが開放された後であるので冷蔵室２内は大気と同圧になっていることにより、小さな力で開放することが出来るので指は図４に示す如くちょっと掛かれば十分である。又、引掛け穴１７は、ハンドル１４の立上り部１４ｂに設けられているので、扉５ａ、５ｂが閉められている時には見えないから、正面意匠を損なうことがないものである。
【００３８】
次に図５に於いて、図４とは異なる実施例を説明する。この図５に示すハンドル１８、１９は図にも示す如く、押出成形等により作られたもので、本来の手掛け部１８ａ、１９ａの指が入る寸法を詰ることがないよう立上り片１８ｃ、１９ｃをヒンジ枢着側に傾斜させ、傾斜させた分、本来の手掛け部１８ａ、１９ａを延長して、補助手掛け部１８ｂ、１９ｂを形成したものである。勿論この補助手掛け部１８ｂ、１９ｂの先端は扉間隙間寸法Ｌ１を保っている。即ち扉５ａ、５ｂの側端面と同一面状に位置しているものである。又この補助手掛け部１８ｂ、１９ｂの大きさで良いのは、扉５ａを開放した時点で冷蔵室２内の負圧状態は破られるので図に示す如き、補助手掛け部１８ａ、１９ｂであっても十分扉５ｂは開放することが出来るものである。換云すると扉５ａ、５ｂを本来の手掛け部１８ａ、１９ａを使って開放する時には比較的大きな力を要する為、手掛け部は補助手掛け部１８ｂ、１９ｂに比較して大きく形成されていると云うことである。
【００３９】
次に図６〜図８をもって、上記二つの実施例とは異なる実施例を説明する。
【００４０】
２０、２１はハンドルである。このハンドル形状は図７に示す如く、断面が略Ｔ字状をなしている。一般にこの種ハンドルは押出し成形により形成されている。
【００４１】
そして手掛け部２２、２３は図７にも示す如く扉間隙間寸法Ｌ１に面する側の補助手掛け部２２ａ、２３ａが反対側の本来の手掛け部２２ｂ、２３ｂより小さく形成されている。
【００４２】
而して扉５ａを右手で開放した後、扉５ｂを開放しようとする時には補助手掛け部２３ａに図７に示す如く右手指を掛け、扉５ｂを開放するものである。
【００４３】
尚、以上の実施例の説明は何れも左手を使わず右手で両扉５ａ、５ｂを開放する例で説明したが右手を使わず左手で扉５ａ、５ｂを操作する場合も同じである。
【００４４】
又図６に示すハンドル２０、２１は冷蔵室扉５ａ、５ｂの上から下までにわたるハンドル２０、２１とした例を示すもので後述する野菜室扉８のハンドル２４とデザイン的には一体感をもたせたものである。
【００４５】
尚、扉５ｂのハンドルに右手指を掛けている時、第３者によって間違って扉５ｂが閉まった場合はハンドルに掛けていた右手指を損傷する可能性がある。これを防止するためにはハンドル間寸法をこの扉間隙間寸法Ｌ１よりも大きくして損傷防止を図る、或いは扉間隙寸法Ｌ１は小さいままとし、ハンドル形状をハンドル間寸法がＬ１より大きく拡大するようにする。例えば、ハンドル間寸法を指の平均的寸法約２ｃｍの２倍前後にすることがよい。
【００４６】
この野菜室扉８を開閉する為に設けられたハンドル２４は先のハンドル２０、２１と扉間隙間寸法Ｌ１とを加算した寸法Ｌ２と同じ幅寸法に形成されている。
【００４７】
更にこのハンドル２４は、図６で矢印方向より指を掛けることが出来る形状のハンドル形状を有している。
【００４８】
換言するとこの野菜室扉８のハンドル２４は上部以外の左右、それに下側より、指をこのハンドル２４に掛けることが出来るよう形成されている。
【００４９】
このことにより、使用者は指の掛け易い所のハンドル手掛け部に指を掛け野菜室扉８を引出し、扉を開放すれば良いものである。
【００５０】
次に図９、１０をもった他の実施例を説明する。
【００５１】
上記図１〜図８は観音開き式扉の片手開放にして述べてきたが、本発明は何れも観音開き式扉を備えた冷蔵庫に限られたものでなく、図９に示す状態の冷蔵庫にも適用出来るものである。以下図に於いて、２５は上部に冷蔵室、最下段に冷凍室、中段に野菜室を有する冷蔵庫、２７は冷蔵室の前面開口部を閉塞する冷蔵室扉、この冷蔵室扉２６はヒンジ２７を軸にして回動自在に枢軸されている。２８はこの冷蔵室扉２６を開閉する際に使用者が手を掛けるハンドル。このハンドル２８は図１０にも示す如く反ヒンジ側の扉端部に取付けられている。
【００５２】
２９は上記ハンドル２８の立上り部２８ａに設けられた引掛け穴。この引掛け穴２９は押出し成形等にて作られたハンドル２８の立上り部２８ａに作られ手掛け部２８ｂを図１０に示す如く右からでも左からでも指を差し込み、手掛け部２８ｂをもって扉２６を開放出来るよう構成されている。
【００５３】
本発明は以上説明した如く、収納食品外径寸法が扉１枚分の巾より大きい場合には収納食品を持っていない方の手（例えば右手）指を図４、図５、図７に示す如く開放していない側の補助手掛け部に順手で指を掛け、扉を手前に引いて開放し、間口を大きくした所で左手に持っていた収納食品を冷蔵室内に収納するものである。
【図面の簡単な説明】
【００５４】
【図１】本発明のハンドルを備えた冷蔵庫の正面図である。
【図２】図１のＡＡ断面図である。
【図３】図２を矢印Ｐ方向より見た図である。
【図４】図２の扉を同じ手（右手）で開けた例を示す図である。
【図５】図４とは異なる実施例を示す図である。
【図６】図１とは異なる実施例を示す図である。
【図７】図６のＢＢ断面図である。
【図８】図６のＣＣ断面図である。
【図９】本発明を備えた他の冷蔵庫の実施例を示す図である。
【図１０】図９のＧＧ断面図である。
【図１１】従来構造のハンドルを備えた冷蔵庫の正面図である。
【図１２】図１１のＥＥ断面図である。
【図１３】図１１のＤＤ断面図である。
【符号の説明】
【００５５】
１…冷蔵庫本体、２…冷蔵室、３…野菜室、４…冷凍室、５（５ａ、５ｂ）…冷蔵室扉、６…ヒンジ（扉５ａ用）、７…ヒンジ（扉５ｂ用）、８…野菜室扉、９（９ａ、９ｂ）…冷凍室扉、１０…野菜室扉用ハンドル、１１…冷凍室扉用ハンドル、１２…冷凍室扉用ハンドル、１３…冷蔵室扉用ハンドル、１３ａ…正面部、１３ｂ…側面部、１４…冷蔵室扉用ハンドル、１４ａ…正面部、１４ｂ…側面部、１５…絞り部（扉５ａ）、１６…絞り部（扉５ｂ）、１７…引掛け穴、１８…ハンドル、１８ａ…本来の手掛け部、１８ｂ…補助手掛け部、１８ｃ…立上り片、１９…ハンドル、１９ａ…本来の手掛け部、１９ｂ…補助手掛け部、１９ｃ…立上り片、２０…ハンドル、２１…ハンドル、２２…手掛け部、２２ａ…補助手掛け部、２２ｂ…本来の手掛け部、２３…手掛け部、２３ａ…補助手掛け部、２３ｂ…本来の手掛け部、２４…野菜室扉のハンドル、２５…冷蔵庫、２６…冷蔵室扉、２７…ヒンジ、２８…ハンドル、２８ａ…立上り部、２８ｂ…手掛け部、２９…引掛け穴。
【図１】
2005133995.tif 000003
【図２】
2005133995.tif 000004
【図３】
2005133995.tif 000005
【図４】
2005133995.tif 000006
【図５】
2005133995.tif 000007
【図６】
2005133995.tif 000008
【図７】
2005133995.tif 000009
【図８】
2005133995.tif 000010
【図９】
2005133995.tif 000011
【図１０】
2005133995.tif 000012
【図１１】
2005133995.tif 000013
【図１２】
2005133995.tif 000014
【図１３】
2005133995.tif 000015